(57)【要約】【課題】利用者の思惑通りに機器を制御し易い機器制御システムを提供する。【解決手段】機器制御システム１００は、音発生装置１と、識別装置２とを備える。音発生装置１は、人の操作により生じる電気エネルギー以外のエネルギーを受けて振動することで特定音を発生する。識別装置２は、特定音を含む音が入力されると、音を電気信号に変換して特定音を識別する。識別装置２は、入力された音に含まれる特定音に対応付けられた機器３に向けて、機器３を制御するための制御信号を送信するように構成される。【選択図】図１
2017174566.tif 000002
【特許請求の範囲】
【請求項１】
人の操作により生じる電気エネルギー以外のエネルギーを受けて振動することで特定音を発生する音発生装置と、
前記特定音を含む音が入力されると、前記音を電気信号に変換して前記特定音を識別する識別装置とを備え、
前記識別装置は、
入力された前記音に含まれる前記特定音に対応付けられた機器に向けて、前記機器を制御するための制御信号を送信するように構成されることを特徴とする機器制御システム。
【請求項２】
前記音発生装置は、前記操作である複数の機器別操作の各々によって、前記特定音として周波数の互いに異なる複数の機器別音を発生するように構成され、
前記識別装置では、前記複数の機器別音が、複数の前記機器に対応付けられていることを特徴とする請求項１記載の機器制御システム。
【請求項３】
前記音発生装置は、前記操作である複数の制御別操作の各々によって、前記特定音として周波数の互いに異なる複数の制御別音を発生するように構成され、
前記識別装置では、前記複数の制御別音が、一の前記機器の複数の制御に対応付けられていることを特徴とする請求項１又は２記載の機器制御システム。
【請求項４】
前記音発生装置を複数備えることを特徴とする請求項１乃至３のいずれか１項に記載の機器制御システム。
【請求項５】
前記音発生装置は、粘着面を有し、設置面に貼り付けられるように構成されることを特徴とする請求項１乃至４のいずれか１項に記載の機器制御システム。
【請求項６】
前記音発生装置は、マット状であって、設置面に敷かれるように構成されることを特徴とする請求項１乃至４のいずれか１項に記載の機器制御システム。
【請求項７】
前記識別装置は、電源の入力用の差込プラグ及び前記電源の出力用のプラグ受けを有する差込接続器であることを特徴とする請求項１乃至６のいずれか１項に記載の機器制御システム。
【請求項８】
前記識別装置は、前記機器としての照明機器に向けて、前記制御信号として照明機器を制御するための照明制御信号を送信するように構成されることを特徴とする請求項１乃至７のいずれか１項に記載の機器制御システム。
【請求項９】
前記音発生装置は、建物の扉に設置されることを特徴とする請求項８記載の機器制御システム。
【請求項１０】
前記照明機器は複数であって、
前記識別装置は、前記照明制御信号を前記複数の照明機器に向けて送信するように構成されることを特徴とする請求項８又は９記載の機器制御システム。
【発明の詳細な説明】
【技術分野】
【０００１】
本発明は、一般に機器制御システムに関し、より詳細には、音を利用して機器を制御するシステムに関する。
【背景技術】
【０００２】
従来、音声によって照明負荷のスイッチ操作を行う照明用スイッチが知られており、たとえば特許文献１に開示されている。特許文献１に記載の照明用スイッチは、マイク部と、音声抽出部と、音声認識部と、制御部とを備えている。音声抽出部は、マイク部から入力された音声信号からノイズを除去する機能を有する。音声認識部は、音声抽出部で抽出した音声信号を予め記憶された音声パターンと比較して認識結果を出力する機能を有する。そして、制御部は、音声認識部からの認識結果をもとに照明負荷を点灯制御する機能を有する。
【先行技術文献】
【特許文献】
【０００３】
【特許文献１】特開２００２−２８９３７１号公報
【発明の概要】
【発明が解決しようとする課題】
【０００４】
しかしながら、上記従来例のような照明用スイッチ（機器制御システム）では、利用者の発する音声が音声パターンと一致しない場合など、利用者の思惑通りに照明負荷（機器）を制御することが難しい場合があるという問題があった。
【０００５】
本発明は、上記の点に鑑みてなされており、利用者の思惑通りに機器を制御し易い機器制御システムを提供することを目的とする。
【課題を解決するための手段】
【０００６】
本発明の一態様に係る機器制御システムは、音発生装置と、識別装置とを備える。前記音発生装置は、人の操作により生じる電気エネルギー以外のエネルギーを受けて振動することで特定音を発生する。前記識別装置は、前記特定音を含む音が入力されると、前記音を電気信号に変換して前記特定音を識別する。前記識別装置は、入力された前記音に含まれる前記特定音に対応付けられた機器に向けて、前記機器を制御するための制御信号を送信するように構成される。
【発明の効果】
【０００７】
本発明は、利用者の思惑通りに機器を制御し易い。
【図面の簡単な説明】
【０００８】
【図１】図１は、本発明の実施形態１に係る機器制御システムを示すブロック図である。
【図２】図２は、同上の機器制御システムの使用例を示す正面図である。
【図３】図３は、同上の機器制御システムにおける識別装置を示す正面図である。
【図４】図４Ａは、同上の機器制御システムにおいて、シール型の音発生装置を示す平面図である。図４Ｂは、同上の機器制御システムにおいて、マット型の音発生装置を示す斜視図である。
【図５】図５は、同上の機器制御システムにおいて、差込接続器である識別装置を示す斜視図である。
【図６】図６は、本発明の実施形態２に係る機器制御システムにおける音発生装置を示すブロック図である。
【図７】図７は、同上の機器制御システムにおける識別装置を示す正面図である。
【図８】図８は、本発明の実施形態３に係る機器制御システムを示すブロック図である。
【図９】図９Ａは、同上の機器制御システムにおいて、ノッカー型の音発生装置を示す斜視図である。図９Ｂは、同上の機器制御システムにおいて、チャイム型の音発生装置を示す斜視図である。
【発明を実施するための形態】
【０００９】
以下、本発明の実施形態に係る機器制御システムについて説明する。ただし、以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１０】
（実施形態１）
本実施形態の機器制御システム１００は、図１、図２に示すように、音発生装置１と、識別装置２とを備えている。音発生装置１は、人の操作により生じる電気エネルギー以外のエネルギーを受けて振動することで特定音を発生する。識別装置２は、特定音を含む音が入力されると、音を電気信号に変換して特定音を識別する。識別装置２は、入力された音に含まれる特定音に対応付けられた機器３に向けて、機器３を制御するための制御信号を送信するように構成されている。
【００１１】
以下、本発明の実施形態１に係る機器制御システム１００について図１、図２を用いて説明する。本実施形態の機器制御システム１００は、たとえば戸建住宅に用いられる。もちろん、本実施形態の機器制御システム１００は、戸建住宅に限らず、たとえば集合住宅（マンション）の住戸や、商業施設、病院、ホテル、雑居ビル等、様々な建物に用いられてもよい。
【００１２】
本実施形態の機器制御システム１００は、図１、図２に示すように、音発生装置１と、識別装置２とを備えている。音発生装置１及び識別装置２は、複数（ここでは３つ）の機器３と共に、部屋の中に設置されている。本実施形態では、機器３として、照明機器３Ａ、エアーコンディショナ（以下、「エアコン」という）３Ｂ、テレビジョン受信機（以下、「テレビ」という）３Ｃが部屋の中に設置されている。もちろん、機器３は、これらの機器に限定されず、他の機器であってもよい。
【００１３】
音発生装置１は、図２に示すように、設置面（ここでは、部屋の壁面）Ａ１に取り付けられている。もちろん、音発生装置１は、設置面Ａ１に取り付けられる構成に限定されず、たとえばリモートコントローラのように可搬型の装置であってもよい。その他、音発生装置１は、たとえば利用者の指に嵌めることが可能な指輪型の装置であってもよい。
【００１４】
音発生装置１は、人の操作により生じる電気エネルギー以外のエネルギーを受けて振動することで特定音を発生するように構成されている。特定音は、たとえば一定の周波数の音である。また、特定音は、人の可聴域の音であってもよいし、人の可聴域を超えた超音波であってもよい。人の操作としては、たとえば弾く、振る、叩く、擦る、息を吹き付ける等がある。つまり、音発生装置１は、電気エネルギーを用いずに特定音を発生するため、電源が不要である。
【００１５】
特定音を発生する機構「以下、「発音機構」という」としては、たとえば体鳴楽器、膜鳴楽器、弦鳴楽器、気鳴楽器などの発音原理を利用した機構が考えられる。具体的には、音発生装置１は、たとえばギターやハープのような弦楽器に用いられる弦を備えていてもよい。この構成では、弦は、人の手で弾かれることによって、弦の固有振動数で振動し、特定音を発生する。また、音発生装置１は、たとえば音叉のような構造体を備えていてもよい。この構成では、構造体は、人の手で直接叩かれる、又は道具（たとえば、バチ（drumstick）等）を用いて叩かれることによって、構造体の固有振動数で振動し、特定音を発生する。また、音発生装置１は、たとえばホイッスルのような構造体を備えていてもよい。この構成では、構造体は、人が息を吹き付けることによって、構造体の固有振動数で振動し、特定音を発生する。
【００１６】
本実施形態では、音発生装置１は、図１に示すように、複数（ここでは、３つ）の機器別音発生部１１（機器別音発生部１１Ａ，１１Ｂ，１１Ｃ）を備えている。以下では、複数の機器別音発生部１１Ａ，１１Ｂ，１１Ｃをとくに区別しない場合、複数の機器別音発生部１１Ａ，１１Ｂ，１１Ｃの各々を「機器別音発生部１１」という。
【００１７】
複数の機器別音発生部１１は、袋状に形成されており、その一部には微小な径寸法の穴が設けられている。したがって、利用者が機器別音発生部１１を押すことにより、機器別音発生部１１の内側の空気が穴を通して外へ押し出される。このとき、穴の周縁が振動することにより、特定音が発生する。
【００１８】
その他、複数の機器別音発生部１１は、たとえば上述の発音機構により、それぞれ特定音を発生するように構成されていてもよい。複数の機器別音発生部１１は、いずれも同じ発音機構を備えていてもよいし、互いに異なる発音機構を備えていてもよい。具体的には、複数の機器別音発生部１１は、いずれも弦を備えていてもよい。また、複数の機器別音発生部１１は、それぞれ弦、音叉のような構造体、ホイッスルのような構造体を備えていてもよい。
【００１９】
複数の機器別音発生部１１は、人の操作によって、特定音として周波数の互いに異なる複数の機器別音を発生するように構成されている。機器別音発生部１１Ａは、人の操作により、たとえば「ド（Ｃ）」に対応する周波数の機器別音を発生する。この機器別音は、照明機器３Ａに対応する特定音である。また、機器別音発生部１１Ｂは、人の操作により、たとえば「ミ（Ｅ）」に対応する周波数の機器別音を発生する。この機器別音は、エアコン３Ｂに対応する特定音である。また、機器別音発生部１１Ｃは、人の操作により、たとえば「ソ（Ｇ）」に対応する周波数の機器別音を発生する。この機器別音は、テレビ３Ｃに対応する特定音である。
【００２０】
識別装置２は、図２に示すように、テレビ３Ｃが設置されているテレビ台の上に載せられている。また、識別装置２は、音発生装置１の発生する特定音が届く範囲内に設置されている。もちろん、識別装置２は、音発生装置１の発生する特定音が届く範囲内であれば、テレビ台以外の場所や、部屋の外に設置されていてもよい。言い換えれば、音発生装置１は、自身の発生する特定音が識別装置２に届く範囲内であれば、識別装置２の設置されている部屋の外に設置されていてもよい。なお、識別装置２は、たとえば電池を電源として駆動する。もちろん、識別装置２は、商用電源から供給される電力により駆動する構成であってもよい。
【００２１】
識別装置２は、図１に示すように、入力部２１と、識別部２２と、記憶部２３と、送信部２４と、アンテナ２５とを備えている。また、識別装置２は、図３に示すように、複数（ここでは、３つ）の機器表示部２６（機器表示部２６Ａ，２６Ｂ，２６Ｃ）をさらに備えている。以下では、複数の機器表示部２６Ａ，２６Ｂ，２６Ｃをとくに区別しない場合、複数の機器表示部２６Ａ，２６Ｂ，２６Ｃの各々を「機器表示部２６」という。
【００２２】
入力部２１は、たとえばマイクロホンで構成され、識別装置２の周囲から音が入力されるように構成されている。本実施形態では、入力部２１は、図３に示すように、識別装置２の筐体２０に設けられた穴２０１から外部に露出するように設けられている。また、入力部２１は、入力された音を電気信号に変換し、変換した電気信号を識別部２２に出力するように構成されている。
【００２３】
識別部２２は、入力部２１からの電気信号に基づいて、特定音を識別するように構成されている。また、識別部２２は、識別した特定音に対応する機器３を制御するための制御信号を生成し、生成した制御信号を送信部２４に出力するように構成されている。
【００２４】
記憶部２３は、たとえばＥＥＰＲＯＭ（Electrically Erasable Programmable Read-Only Memory）で構成されている。記憶部２３には、複数の基準データが格納されている。複数の基準データは、複数の特定音と１対１に対応付けられている。また、複数の基準データは、それぞれ特定音の音響特性を示すデータを含んでいる。音響特性とは、たとえば音圧、周波数特性、波形パターン（音圧の時間変化特性）などを示す。本実施形態では、音響特性は、少なくとも周波数特性を含んでいる。
【００２５】
また、記憶部２３には、複数の機器データが格納されている。複数の機器データは、複数の特定音と１対１に対応付けられている。また、複数の機器データは、それぞれ機器３のアドレスと、機器３の制御データとを含んでいる。制御データは、たとえば機器３の制御コマンドであってもよいし、機器３に制御コマンドの生成を促すコマンドであってもよい。
【００２６】
識別部２２は、入力部２１からの電気信号と、記憶部２３に格納されている基準データとを比較し、比較結果に基づいて特定音を識別する。具体的には、識別部２２は、入力部２１からの電気信号の音響特性と、記憶部２３に格納されている複数の基準データの音響特性とを比較する。識別部２２は、電気信号の音響特性が複数の基準データの音響特性のいずれかと一致すれば、一致した基準データに対応する特定音が発生していると判定する。また、識別部２２は、電気信号の音響特性が複数の基準データの音響特性のいずれとも一致しない場合、特定音が発生していないと判定する。
【００２７】
そして、識別部２２は、判定した特定音に対応する機器データを記憶部２３から読み出し、この機器データを含む制御信号を生成する。たとえば、識別部２２は、判定した特定音が機器別音発生部１１Ｂの発生する機器別音であれば、この機器別音に対応する機器データを記憶部２３から読み出し、この機器データを含む制御信号を生成する。
【００２８】
送信部２４は、通信インタフェースで構成されており、識別部２２で生成された制御信号を、対象の機器３に向けてアンテナ２５を介して送信する。本実施形態では、送信部２４は、無線通信により制御信号を対象の機器３に送信する構成であるが、有線通信により制御信号を対象の機器３に送信する構成であってもよい。たとえば、送信部２４は、電力線搬送通信（Power Line Communication：ＰＬＣ）により、制御信号を対象の機器３に送信する構成であってもよい。
【００２９】
つまり、識別装置２は、特定音を含む音が入力されると、音を電気信号に変換して特定音を識別するように構成されている。そして、識別装置２は、入力された音に含まれる特定音に対応付けられた機器３に向けて、機器３を制御するための制御信号を送信するように構成されている。
【００３０】
複数の機器表示部２６は、各々、たとえば液晶ディスプレイ等の表示装置で構成されている。機器表示部２６は、対応する機器３の名称や状態を表示するように構成されている。本実施形態では、機器表示部２６Ａは、対応する機器３である照明機器３Ａの名称を表す「照明」の文字を表示している。また、機器表示部２６Ｂは、対応する機器３であるエアコン３Ｂの名称を表す「エアコン」の文字を表示している。また、機器表示部２６Ｃは、対応する機器３であるテレビ３Ｃの名称を表す「ＴＶ」の文字を表示している。
【００３１】
本実施形態では、複数の機器表示部２６は、それぞれ発光することにより、対応する機器３が動作中であることを報知するように構成されている。たとえば、図３に示す例では、機器表示部２６Ａに対応する照明機器３Ａが点灯状態にあるため、機器表示部２６Ａが発光している。このため、利用者は、複数の機器表示部２６を見ることで、複数の機器３の動作状態を把握することができる。
【００３２】
複数の機器３は、図１に示すように、それぞれアンテナ３１と、受信部３２と、制御部３３とを備えている。
【００３３】
受信部３２は、通信インタフェースで構成されており、識別装置２からの制御信号をアンテナ３１を介して受信するように構成されている。受信部３２は、受信した制御信号の機器データに含まれるアドレスが、自身の属する機器３のアドレスと一致すれば、機器データに含まれる制御データを制御部３３に出力する。また、受信部３２は、受信した制御信号の機器データに含まれるアドレスが、自身の属する機器３のアドレスと一致しなければ、機器データを破棄する。
【００３４】
制御部３３は、受信部３２からの制御データに基づいて、自身の属する機器３を制御する。たとえば機器３がテレビ３Ｃであれば、制御部３３は、受信部３２からの制御データに基づいて、テレビ３Ｃの電源をオン／オフする。つまり、テレビ３Ｃの電源がオフ状態であれば、制御部３３は、テレビ３Ｃの電源をオンする。また、テレビ３Ｃの電源がオン状態であれば、制御部３３は、テレビ３Ｃの電源をオフする。
【００３５】
以下、本実施形態の機器制御システム１００の動作について図１を用いて説明する。ここでは、動作の一例として、利用者が機器３のうち照明機器３Ａを制御する場合について説明する。照明機器３Ａが消灯している状態において、利用者が機器別音発生部１１Ａを操作すると、機器別音発生部１１Ａは、特定音として、照明機器３Ａに対応する機器別音を発生する。
【００３６】
識別装置２において、機器別音を含む音が入力部２１に入力されると、識別部２２は、機器別音を識別する。そして、識別部２２は、機器別音に対応する照明機器３Ａの制御信号を生成し、送信部２４に出力する。送信部２４は、識別部２２からの制御信号を、照明機器３Ａに向けてアンテナ２５を介して送信する。
【００３７】
照明機器３Ａでは、受信部３２が、アンテナ３１を介して制御信号を受信し、制御信号に含まれる制御データを制御部３３に出力する。そして、制御部３３は、制御データに基づいて照明機器３Ａを点灯する制御を実行する。このように、本実施形態の機器制御システム１００では、利用者が音発生装置１を操作することにより、機器３を遠隔制御することが可能である。
【００３８】
上述のように、本実施形態の機器制御システム１００は、人の操作により特定音を発生する音発生装置１と、識別装置２とを備えている。そして、識別装置２は、音発生装置１の発生する特定音が入力されると、特定音に対応する機器３に向けて制御信号を送信するように構成されている。
【００３９】
ここで、特許文献１に記載されているような、人の発する音声を認識する音声認識部を用いて機器を制御するシステム（以下、「比較例のシステム」という）では、以下のような問題が生じ得る。つまり、音声認識部を構成する回路は比較的高価であるため、このような回路を比較例のシステムに組み込むことにより、コストが増大するという問題が生じ得る。また、音声認識部は、予め記憶している音声パターンにしか反応しない。このため、利用者が要求する動作の表現の差異により、要求する動作を機器が実行しない可能性がある。たとえば、利用者が照明機器の電源をオンにしたい場合、利用者は、「照明機器の電源をオン」という音声を発したり、「照明機器をつけて」という音声を発したりする。この場合、音声認識部は、いずれか一方の音声は認識できても、他方の音声は認識できない可能性がある。つまり、比較例のシステムでは、利用者の思惑通りに機器を制御することが難しい場合がある。
【００４０】
これに対して、本実施形態の機器制御システム１００では、利用者が音発生装置１を操作しさえすれば、利用者が制御させたい機器３に対応する特定音を発生することが可能である。つまり、本実施形態の機器制御システム１００では、比較例のシステムと比べて、利用者の思惑通りに機器３を制御し易い。また、本実施形態の機器制御システム１００では、識別装置２は音声認識部が不要であるため、比較例のシステムと比べて、コストを低減することができる。
【００４１】
また、本実施形態の機器制御システム１００では、音発生装置１は、電気エネルギーを用いずに特定音を発生することが可能である。つまり、音発生装置１は、電源が不要であり、さらに識別装置２に向けて電気信号を送信するための回路も不要である。このため、本実施形態の機器制御システム１００は、無線通信や赤外線通信を利用したスイッチ、リモートコントローラを用いるシステムと比較して、コストを低減することができる。また、利用者は、識別装置２に特定音が届く範囲内であれば、音発生装置１を自由に設置することができる。さらに、本実施形態の機器制御システム１００では、識別装置２において予め基準データと機器データとを設定しておけば、施工者は、音発生装置１と識別装置２とを設置するだけでよく、施工が容易である。
【００４２】
また、本実施形態の機器制御システム１００では、音発生装置１は、複数の機器別音発生部１１を備えている。つまり、本実施形態の機器制御システム１００では、音発生装置１は、人の操作である複数の機器別操作の各々によって、特定音として周波数の互いに異なる複数の機器別音を発生するように構成されている。つまり、音発生装置１は、一の機器別操作（たとえば、機器別音発生部１１Ａの操作）によって、一の機器別音を発生する。また、音発生装置１は、一の機器別操作とは異なる機器別操作（たとえば、機器別音発生部１１Ｂの操作）によって、一の機器別音とは異なる機器別音を発生する。
【００４３】
そして、識別装置２では、複数の機器別音が、複数の機器３に対応付けられている。この構成では、利用者は、１つの音発生装置１を操作することにより、複数の機器３を個別に制御することが可能である。なお、当該構成を採用するか否かは任意である。たとえば音発生装置１は、１つの特定音のみを発生するように構成されていてもよい。また、識別装置２では、音発生装置１の発生する特定音が、１つの機器３のみに対応付けられていてもよい。
【００４４】
また、本実施形態の機器制御システム１００は、音発生装置１を複数備えていてもよい。複数の音発生装置１は、全て同じ部屋に設置されていてもよいし、複数の部屋に分かれて設置されていてもよい。この構成では、たとえば複数の音発生装置１が対象とする機器３が同じであれば、利用者は、複数の音発生装置１のうち自身の近くにある音発生装置１を操作することで、機器３を容易に制御することができる。また、この構成では、たとえば複数の音発生装置１が対象とする機器３が互いに異なっていれば、利用者は、複数の音発生装置１を操作することにより、種々の機器３を制御することが可能である。なお、当該構成を採用するか否かは任意である。
【００４５】
また、本実施形態の機器制御システム１００では、音発生装置１は、図４Ａに示すような音発生装置１Ａであってもよい。音発生装置１Ａは、シート状の基材１２１と、粘着面１２２と、発音機構としての押圧部１２３とを備えている。粘着面１２２は、基材１２１の背面に粘着剤及び剥離剤を塗布することにより構成される。したがって、音発生装置１Ａは、利用者が粘着面１２２を設置面（ここでは、部屋の壁面）Ａ１に押し付けることにより、設置面Ａ１に貼り付けられる。
【００４６】
押圧部１２３は、基材１２１の前面に垂直な向きに突出するように凸状に形成されている。また、押圧部１２３と基材１２１との間の空間には、空気が封入されている。押圧部１２３の一部には、微小な径寸法の穴が設けられている。したがって、利用者が押圧部１２３を押すことにより、押圧部１２３の内側の空気が穴を通して外へ押し出される。このとき、穴の周縁が振動することにより、特定音が発生する。図４Ａに示す例では、押圧部１２３は１つであるが、複数あってもよい。この場合、複数の押圧部１２３は、上記と同様に、複数の機器別音発生部１１として構成されていてもよい。
【００４７】
つまり、音発生装置１Ａは、粘着面１２２を有し、設置面Ａ１に貼り付けられるように構成されていてもよい。この構成では、利用者は、音発生装置１を容易に設置面Ａ１に貼り付けたり、設置面Ａ１から剥がしたりすることができるので、音発生装置１の配置を容易に変更することができる。また、この構成では、利用者は、音発生装置１をたとえば家具等にも貼り付けることができるので、音発生装置１の配置の自由度を向上することができる。さらに、この構成では、音発生装置１を設置面Ａ１から取り外すときに、設置面Ａ１が傷つき難い。
【００４８】
また、本実施形態の機器制御システム１００では、音発生装置１は、図４Ｂに示すような音発生装置１Ｂであってもよい。音発生装置１Ｂは、マット状の敷物（rug）１３１と、発音機構としてのクッション１３２とを備えている。敷物１３１は、建物を出入りする利用者に踏まれるように、設置面（ここでは、玄関の床面）Ａ１に敷かれている。
【００４９】
クッション１３２は、袋状であって、敷物１３１と設置面Ａ１との間に配置されている。クッション１３２の内部には、空気が封入されている。また、クッション１３２の一部には、微小な径寸法の穴が設けられている。したがって、利用者がクッション１３２を踏むことにより、クッション１３２の内側の空気が穴を通して外へ押し出される。このとき、穴の周縁が振動することにより、特定音が発生する。図４Ｂに示す例では、クッション１３２は１つであるが、複数あってもよい。この場合、複数のクッション１３２は、上記と同様に、複数の機器別音発生部１１として構成されていてもよい。
【００５０】
つまり、本実施形態の機器制御システム１００では、音発生装置１Ｂは、マット状であって、設置面Ａ１に敷かれるように構成されていてもよい。この構成では、利用者は、足で踏むだけで特定音を音発生装置１Ｂから発生させることができる。したがって、利用者は、たとえば荷物を運んでいる場合など、手を用いた操作が行えないときでも、機器３を容易に制御することが可能である。
【００５１】
また、本実施形態の機器制御システム１００では、図５に示すように、識別装置２は、図５に示すような差込接続器４であってもよい。差込接続器４は、いわゆる電源タップであり、ケース４１と、差込プラグ４２と、プラグ受け４３とを備えている。差込プラグ４２は、コンセント（レセプタクル）のプラグ受けに接続可能に構成されている。プラグ受け４３は、電気機器の有する電源ケーブルの差込プラグが接続可能に構成されている。電気機器は、機器３であってもよいし、機器３以外の機器であってもよい。
【００５２】
ケース４１は、直方体状に形成されている。ケース４１には、入力部２１、識別部２２、記憶部２３、送信部２４、及びアンテナ２５が収納されている。ケース４１の前面には、プラグ受け４３の一対の挿通孔４３１が設けられている。また、ケース４１の前面には、入力部２１を外部に露出させるための穴４１１が設けられている。ケース４１の背面には、差込プラグ４２が設けられている。
【００５３】
差込接続器４は、差込プラグ４２をコンセントに接続することで、商用電源から電力が供給される。つまり、差込接続器４（識別装置２）は、電池を電源として駆動するのではなく、商用電源から供給される電力により駆動する。
【００５４】
上述のように、識別装置２は、電源の入力用の差込プラグ４２及び電源の出力用のプラグ受け４３を有する差込接続器４であってもよい。この構成では、差込接続器４は、停電時などの異常時を除いて、コンセントを介して商用電源から電力が供給される。このため、利用者は、識別装置２の電池切れの心配をすることなく、音発生装置１を操作することが可能である。また、差込接続器４は、識別装置２として機能するだけでなく、電源タップとしても機能する。このため、利用者は、普段使用する電源タップを差込接続器４に置き換えれば、識別装置２を別途用意する必要がないので、識別装置２を設置するためのスペースを確保する必要がない。
【００５５】
なお、音発生装置１は、その少なくとも一部が蛍光材料で構成されていてもよい。この構成では、利用者は、暗闇においても音発生装置１を見つけることが可能である。
【００５６】
（実施形態２）
以下、本発明の実施形態２に係る機器制御システム２００について説明する。ただし、本実施形態の機器制御システム２００は、基本的に実施形態１の機器制御システム１００と共通している。したがって、以下では、実施形態１の機器制御システム１００と共通する構成については説明を省略する。本実施形態の機器制御システム２００では、音発生装置１は、図６に示すような音発生装置１Ｃである。また、識別装置２は、図７に示すような識別装置２Ａである。
【００５７】
音発生装置１Ｃは、図６に示すように、複数（ここでは、３つ）の制御別音発生部１４（制御別音発生部１４Ａ，１４Ｂ，１４Ｃ）を備えている。以下では、複数の制御別音発生部１４Ａ，１４Ｂ，１４Ｃをとくに区別しない場合、複数の制御別音発生部１４Ａ，１４Ｂ，１４Ｃの各々を「制御別音発生部１４」という。
【００５８】
複数の制御別音発生部１４は、たとえば機器別音発生部１１と同じ発音機構により、特定音を発生するように構成されている。そして、複数の制御別音発生部１４は、人の操作によって、特定音として周波数の互いに異なる複数の制御別音を発生するように構成されている。
【００５９】
制御別音発生部１４Ａは、電源スイッチ１４１と、第１調光スイッチ１４２Ａと、第２調光スイッチ１４２Ｂとを有している。電源スイッチ１４１は、人の操作により、たとえば「ド（Ｃ）」に対応する周波数の制御別音を発生する。この制御別音は、照明機器３Ａの電源をオン／オフする制御に対応する特定音である。
【００６０】
第１調光スイッチ１４２Ａは、人の操作により、たとえば電源スイッチ１４１の発生する制御別音よりも１オクターブ高い「ド（Ｃ）」に対応する周波数の制御別音を発生する。この制御別音は、照明機器３Ａの調光レベルを上げる制御に対応する特定音である。第２調光スイッチ１４２Ｂは、人の操作により、たとえば電源スイッチ１４１の発生する制御別音よりも１オクターブ低い「ド（Ｃ）」に対応する周波数の制御別音を発生する。この制御別音は、照明機器３Ａの調光レベルを下げる制御に対応する特定音である。
【００６１】
制御別音発生部１４Ｂは、電源スイッチ１４３と、第１温度スイッチ１４４Ａと、第２温度スイッチ１４４Ｂと、第１運転スイッチ１４５Ａと、第２運転スイッチ１４５Ｂとを有している。電源スイッチ１４３は、人の操作により、たとえば「レ（Ｄ）」に対応する周波数の制御別音を発生する。この制御別音は、エアコン３Ｂの電源をオン／オフする制御に対応する特定音である。
【００６２】
第１温度スイッチ１４４Ａは、人の操作により、たとえば電源スイッチ１４３の発生する制御別音よりも１オクターブ高い「レ（Ｄ）」に対応する周波数の制御別音を発生する。この制御別音は、エアコン３Ｂの設定温度を上げる制御に対応する特定音である。第２温度スイッチ１４４Ｂは、人の操作により、たとえば電源スイッチ１４３の発生する制御別音よりも１オクターブ低い「レ（Ｄ）」に対応する周波数の制御別音を発生する。この制御別音は、エアコン３Ｂの設定温度を下げる制御に対応する特定音である。
【００６３】
第１運転スイッチ１４５Ａは、人の操作により、たとえば「ミ（Ｅ）」に対応する周波数の制御別音を発生する。この制御別音は、エアコン３Ｂを冷房運転に切り替える制御に対応する特定音である。第２運転スイッチ１４５Ｂは、人の操作により、たとえば第１運転スイッチ１４５Ａの発生する制御別音よりも１オクターブ低い「ミ（Ｅ）」に対応する周波数の制御別音を発生する。この制御別音は、エアコン３Ｂを暖房運転に切り替える制御に対応する特定音である。
【００６４】
制御別音発生部１４Ｃは、電源スイッチ１４６と、第１チャンネルスイッチ１４７Ａと、第２チャンネルスイッチ１４７Ｂと、第１音量スイッチ１４８Ａと、第２音量スイッチ１４８Ｂとを有している。電源スイッチ１４６は、人の操作により、たとえば「ファ（Ｆ）」に対応する周波数の制御別音を発生する。この制御別音は、テレビ３Ｃの電源をオン／オフする制御に対応する特定音である。
【００６５】
第１チャンネルスイッチ１４７Ａは、人の操作により、たとえば「ソ（Ｇ）」に対応する周波数の制御別音を発生する。この制御別音は、テレビ３Ｃのチャンネルを次のチャンネルに切り替える制御に対応する特定音である。第２チャンネルスイッチ１４７Ｂは、人の操作により、たとえば第１チャンネルスイッチ１４７Ａの発生する制御別音よりも１オクターブ低い「ソ（Ｇ）」に対応する周波数の制御別音を発生する。この制御別音は、テレビ３Ｃのチャンネルを前のチャンネルに切り替える制御に対応する特定音である。
【００６６】
第１音量スイッチ１４８Ａは、人の操作により、たとえば「ラ（Ａ）」に対応する周波数の制御別音を発生する。この制御別音は、テレビ３Ｃの音量を上げる制御に対応する特定音である。第２音量スイッチ１４８Ｂは、人の操作により、たとえば第１音量スイッチ１４８Ａの発生する制御別音よりも１オクターブ低い「ラ（Ａ）」に対応する周波数の制御別音を発生する。この制御別音は、テレビ３Ｃの音量を下げる制御に対応する特定音である。
【００６７】
本実施形態では、音発生装置１Ｃの筐体１０の前面に、機器３の名称や制御を表す文字が記されている。具体的には、制御別音発生部１４Ａ，１４Ｂ，１４Ｃの左側には、それぞれ照明機器３Ａの名称を表す「照明」の文字、エアコン３Ｂの名称を表す「エアコン」の文字、テレビ３Ｃの名称を表す「ＴＶ」の文字が記されている。また、たとえば電源スイッチ１４１の上側には、照明機器３Ａの電源をオン／オフする制御を表す「Ｏｎ／Ｏｆｆ」の文字が記されている。その他、たとえば第１チャンネルスイッチ１４７Ａの上側には、テレビ３Ｃのチャンネルを次のチャンネルに切り替える制御を表す「Ｃｈ△」の文字が記されている。このため、利用者は、これらの文字を見ることで、機器３の制御がどの制御別音発生部１４に対応しているかを把握することができる。
【００６８】
識別装置２Ａは、実施形態１と同様に、入力部２１と、識別部２２と、記憶部２３と、送信部２４と、アンテナ２５とを備えている。ただし、識別装置２Ａでは、識別部２２は、上述の制御別音に対応する制御信号を生成するように構成されている。たとえば、識別部２２は、判定した特定音が第１運転スイッチ１４５Ａの発生する制御別音であれば、この制御別音に対応する機器データを記憶部２３から読み出し、この機器データを含む制御信号を生成する。
【００６９】
また、識別装置２Ａは、図７に示すように、複数の機器表示部２６の代わりに、複数（ここでは、３つ）の制御表示部２７（制御表示部２７Ａ，２７Ｂ，２７Ｃ）をさらに備えている。以下では、複数の制御表示部２７Ａ，２７Ｂ，２７Ｃをとくに区別しない場合、複数の制御表示部２７Ａ，２７Ｂ，２７Ｃの各々を「制御表示部２７」という。
【００７０】
複数の制御表示部２７は、各々、たとえば液晶ディスプレイ等の表示装置で構成されている。制御表示部２７は、対応する機器３の名称や状態を表示するように構成されている。本実施形態では、制御表示部２７Ａは、対応する機器３である照明機器３Ａの名称を表す「照明」の文字と、照明機器３Ａの調光レベルとを表示している。また、制御表示部２７Ｂは、対応する機器３であるエアコン３Ｂの名称を表す「エアコン」の文字と、エアコン３Ｂの設定温度と、エアコン３Ｂの運転状態とを表示している。また、制御表示部２７Ｃは、対応する機器３であるテレビ３Ｃの名称を表す「ＴＶ」の文字と、テレビ３Ｃの現在のチャンネルと、テレビ３Ｃの音量とを表示している。
【００７１】
本実施形態では、複数の制御表示部２７は、それぞれ発光することにより、対応する機器３が動作中であることを報知するように構成されている。たとえば、図７に示す例では、制御表示部２７Ａに対応する照明機器３Ａが点灯状態にあるため、制御表示部２７Ａが発光している。このため、利用者は、複数の制御表示部２７を見ることで、複数の機器３の動作状態を把握することができる。
【００７２】
以下、本実施形態の機器制御システム２００の動作について説明する。ここでは、動作の一例として、利用者が照明機器３Ａの調光レベルを上げる場合について説明する。照明機器３Ａが点灯している状態において、利用者が制御別音発生部１４Ａの第１調光スイッチ１４２Ａを操作すると、第１調光スイッチ１４２Ａは、特定音として、照明機器３Ａの調光レベルを上げる制御に対応する制御別音を発生する。
【００７３】
識別装置２Ａにおいて、制御別音を含む音が入力部２１に入力されると、識別部２２は、制御別音を識別する。そして、識別部２２は、制御別音に対応する制御信号を生成し、送信部２４に出力する。送信部２４は、識別部２２からの制御信号を、照明機器３Ａに向けてアンテナ２５を介して送信する。
【００７４】
照明機器３Ａでは、受信部３２が、アンテナ３１を介して制御信号を受信し、制御信号に含まれる制御データを制御部３３に出力する。そして、制御部３３は、制御データに基づいて照明機器３Ａの調光レベルを上げる制御を実行する。
【００７５】
上述のように、本実施形態の機器制御システム２００では、音発生装置１Ｃは、人の操作である複数の制御別操作の各々によって、特定音として周波数の互いに異なる複数の制御別音を発生するように構成されている。つまり、音発生装置１Ｃは、一の制御別操作（たとえば、電源スイッチ１４１の操作）によって、一の制御別音を発生する。また、音発生装置１Ｃは、一の制御別操作とは異なる制御別操作（たとえば、第１調光スイッチ１４２Ａの操作）によって、一の制御別音とは異なる制御別音を発生する。
【００７６】
そして、識別装置２Ａでは、複数の制御別音が、一の機器３の複数の制御に対応付けられている。つまり、識別装置２Ａでは、制御別音発生部１４Ａが発生する複数の制御別音が、一の機器３（照明機器３Ａ）の複数の制御に対応付けられている。また、識別装置２Ａでは、制御別音発生部１４Ｂが発生する複数の制御別音が、一の機器３（エアコン３Ｂ）の複数の制御に対応付けられている。また、識別装置２Ａでは、制御別音発生部１４Ｃが発生する複数の制御別音が、一の機器３（テレビ３Ｃ）の複数の制御に対応付けられている。
【００７７】
このため、本実施形態の機器制御システム２００では、利用者は、１つの音発生装置１を操作することにより、機器３の複数のパラメータを変更することが可能である。
【００７８】
なお、本実施形態の機器制御システム２００では、音発生装置１Ｃは、１つ以上の機器別音発生部１１と、２つ以上の制御別音発生部１４とを備えていてもよい。
【００７９】
（実施形態３）
以下、本発明の実施形態３に係る機器制御システム３００について説明する。ただし、本実施形態の機器制御システム３００は、基本的に実施形態１の機器制御システム１００と共通している。したがって、以下では、実施形態１の機器制御システム１００と共通する構成については説明を省略する。
【００８０】
本実施形態の機器制御システム３００は、図８に示すように、複数の機器３の代わりに、複数（ここでは、３つ）の照明機器５（照明機器５Ａ，５Ｂ，５Ｃ）を遠隔制御するように構成されている。また、本実施形態の機器制御システム３００では、音発生装置１は、図８に示すような音発生装置１Ｄである。また、識別装置２は、図８に示すような識別装置２Ｂである。
【００８１】
複数の照明機器５は、図８に示すように、それぞれアンテナ５１と、受信部５２と、制御部５３とを備えている。アンテナ５１、受信部５２、制御部５３は、それぞれアンテナ３１、受信部３２、制御部３３と同様の構成である。複数の照明機器５は、全て一つの部屋に設置されていてもよいし、複数の部屋に分けて設置されていてもよい。つまり、複数の照明機器５は、識別装置２Ｂからの信号が届く範囲内であれば、自由に設置されてよい。
【００８２】
音発生装置１Ｄは、複数の機器別音発生部１１の代わりに、１つの音発生部１５を備えている。音発生部１５は、たとえば機器別音発生部１１と同じ発音機構により、特定音を発生するように構成されている。そして、音発生部１５は、人の操作によって、特定音として一括制御音を発生するように構成されている。
【００８３】
識別装置２Ｂは、実施形態１と同様に、入力部２１と、識別部２２と、記憶部２３と、送信部２４と、アンテナ２５とを備えている。ただし、識別装置２Ｂでは、識別部２２は、上述の一括制御音に対応する照明制御信号を生成するように構成されている。そして、送信部２４は、識別部２２からの照明制御信号を、全ての照明機器５に向けて、アンテナ２５を介して送信するように構成されている。
【００８４】
以下、本実施形態の機器制御システム３００の動作について説明する。全ての照明機器５が消灯している状態において、利用者が音発生装置１Ｄの音発生部１５を操作すると、音発生部１５は、特定音として一括制御音を発生する。
【００８５】
識別装置２Ｂにおいて、一括制御音を含む音が入力部２１に入力されると、識別部２２は、一括制御音を識別する。そして、識別部２２は、一括制御音に対応する照明制御信号を生成し、送信部２４に出力する。送信部２４は、識別部２２からの照明制御信号を、全ての照明機器５に向けてアンテナ２５を介して送信する。
【００８６】
各照明機器５では、受信部５２が、アンテナ５１を介して照明制御信号を受信し、照明制御信号に含まれる制御データを制御部３３に出力する。そして、制御部３３は、制御データに基づいて照明機器５を点灯する制御を実行する。
【００８７】
上述のように、本実施形態の機器制御システム３００では、識別装置２Ｂは、機器３としての照明機器５に向けて、制御信号として照明機器を制御するための照明制御信号を送信するように構成されている。このため、本実施形態の機器制御システム３００では、利用者は、音発生装置１Ｄを操作することにより、照明機器５を遠隔制御することが可能である。
【００８８】
また、本実施形態の機器制御システム３００では、照明機器５は複数である。そして、識別装置２Ｂは、照明制御信号を複数の照明機器５に向けて送信するように構成されている。この構成では、利用者は、１つの音発生装置１Ｄを操作することにより、複数の照明機器５を一括して制御（点灯／消灯）することができる。
【００８９】
もちろん、音発生装置１Ｄは、実施形態１と同様に、複数の機器別音発生部１１を備えていてもよい。たとえば音発生装置１Ｄが３つの機器別音発生部１１Ａ，１１Ｂ，１１Ｃを備えている場合、機器別音発生部１１Ａに照明機器５Ａを、機器別音発生部１１Ｂに照明機器５Ｂを、機器別音発生部１１Ｃに照明機器５Ｃを対応付けることが考えられる。この場合、利用者は、機器別音発生部１１Ａ，１１Ｂ，１１Ｃを操作することで、照明機器５Ａ，５Ｂ，５Ｃを個別に点灯・消灯させることが可能である。
【００９０】
また、本実施形態の機器制御システム３００では、音発生装置１は、図９Ａに示すような音発生装置１Ｅであってもよい。音発生装置１Ｅは、音発生部１５としてドアノッカー１６を備えている。ドアノッカー１６は、建物の扉Ｂ１に取り付けられている。したがって、利用者がドアノッカー１６を操作することにより、ドアノッカー１６は、特定音として一括制御音を発生する。
【００９１】
また、本実施形態の機器制御システム３００では、音発生装置１は、図９Ｂに示すような音発生装置１Ｆであってもよい。音発生装置１Ｆは、音発生部１５としてドアチャイム１７を備えている。ドアチャイム１７は、建物の扉Ｂ１に取り付けられている。したがって、利用者が扉Ｂ１を開閉することにより、ドアチャイム１７は、特定音として一括制御音を発生する。
【００９２】
つまり、本実施形態の機器制御システム３００では、音発生装置１Ｅ（１Ｆ）は、建物の扉Ｂ１に設置されていてもよい。この構成では、たとえば利用者は、部屋に入る前に照明機器５を点灯することが可能である。また、機器制御システム３００が音発生装置１として音発生装置１Ｆを備える場合、利用者は、音発生装置１Ｆを直接操作せずとも、扉Ｂ１を開閉するだけで照明機器５を点灯／消灯することができる。
【００９３】
なお、上述の各実施形態では、識別装置２（２Ａ，２Ｂ）は、入力部２１、識別部２２、記憶部２３、送信部２４、及びアンテナ２５を一体に備えて構成されているが、他の構成であってもよい。たとえば、識別装置２（２Ａ，２Ｂ）は、入力部２１と、入力部２１以外の構成要素とを、それぞれ異なる筐体に備えて構成されていてもよい。
【符号の説明】
【００９４】
１，１Ａ，…，１Ｆ  音発生装置
１２２  粘着面
２，２Ａ，２Ｂ  識別装置
３，３Ａ，３Ｂ，３Ｃ  機器
４  差込接続器
４２  差込プラグ
４３  プラグ受け
５，５Ａ，５Ｂ，５Ｃ  照明機器
１００，２００，３００  機器制御システム
Ａ１  設置面
Ｂ１  扉
【図１】
2017174566.tif 000003
【図２】
2017174566.tif 000004
【図３】
2017174566.tif 000005
【図４】
2017174566.tif 000006
【図５】
2017174566.tif 000007
【図６】
2017174566.tif 000008
【図７】
2017174566.tif 000009
【図８】
2017174566.tif 000010
【図９】
2017174566.tif 000011